(57)【要約】【課題】  磁石の交換作業が容易な前掛け式のメガネを提供する。【解決手段】  主レンズ２１、２１を保持する主メガネフレーム２２と、主メガネフレーム２２の前面側に着脱自在に設けられる副レンズ２７、２７とを備えたメガネ２０であって、主メガネフレーム２２のレンズ固定用のネジ締結体に吸着体２を用い、吸着体２に対応する各副レンズ２７の部分に被吸着体８を設け、吸着体２と被吸着体８とにより着脱機構１を構成する。吸着体２は、磁性体又は非磁性体からなるネジとネジに着脱自在な磁石とから構成される。被吸着体８は磁性体からなる円板から構成される。吸着体２のネジと被吸着体８の円板とを吸着、離間させることにより、主メガネフレーム２２と副レンズ２７とが着脱される。【選択図】        図６
2005134555.tif 000002
【特許請求の範囲】
【請求項１】
二つの部材を相対的に着脱させる着脱機構であって、一方の部材に設けられる吸着体と、該吸着体に対応する他方の部材の部分に設けられる被吸着体とを備え、前記吸着体と前記被吸着体とを、前記吸着体側の磁力により互いに吸着させ、又は前記吸着体側の磁力に抗して互いに離間させることにより、前記二つの部材を相対的に着脱させるように構成したことを特徴とする着脱機構。
【請求項２】
前記一方の部材に前記吸着体を突出した状態で設けるとともに、該吸着体に対応する前記他方の部材の部分に前記吸着体の突出した部分を嵌入させる凹部を設け、該凹部の底部に前記被吸着体を設けたことを特徴とする請求項１に記載の着脱機構。
【請求項３】
前記吸着体は、磁性体又は非磁性体からなるネジと、該ネジに着脱自在に取り付けられる磁石からなり、前記被吸着体は、磁性体からなる板からなり、前記吸着体のネジと前記被吸着体の板とを、前記磁石の磁力により互いに吸着させ、又は前記磁石の磁力に抗して互いに離間させるように構成した請求項１又は２に記載の着脱機構。
【請求項４】
前記吸着体は、磁性体又は非磁性体からなるネジと、該ネジに着脱自在に取り付けられる磁石からなり、前記被吸着体は、磁性体からなるネジからなり、前記吸着体のネジと前記被吸着体のネジとを、前記磁石の磁力により互いに吸着させ、又は前記磁石の磁力に抗して互いに離間させるように構成した請求項１又は２に記載の着脱機構。
【請求項５】
前記吸着体のネジは、頭部と該頭部に一体に設けられる脚部とからなり、前記脚部に前記磁石を着脱自在に取り付け、前記頭部と前記被吸着体の板とを、前記磁石の磁力により互いに吸着させ、又は前記磁石の磁力に抗して互いに離間させるように構成した請求項３に記載の着脱機構。
【請求項６】
前記吸着体のネジは、頭部と該頭部に一体に設けられる脚部とからなり、前記脚部に前記磁石を着脱自在に取り付け、前記頭部と前記被吸着体のネジの頭部とを、前記磁石の磁力により互いに吸着させ、又は前記磁石の磁力に抗して互いに離間させるように構成した請求項４に記載の着脱機構。
【請求項７】
前記磁石は筒状をなしている請求項３から６の何れかに記載の着脱機構。
【請求項８】
主レンズを保持する主メガネフレームと、該主メガネフレームの前面側に着脱自在に設けられるとともに、副レンズを保持する副メガネフレームとを備えたメガネであって、前記主メガネフレーム又は前記副メガネフレームの何れか一方に請求項１から７の何れかに記載の着脱機構の吸着体を設け、何れか他方に被吸着体を設け、前記吸着体と前記被吸着体とを、前記吸着体側の磁力により互いに吸着させ、又は前記吸着体側の磁力に抗して互いに離間させることにより、前記主メガネフレームと前記副メガネフレームとを相対的に着脱させるように構成したことを特徴とするメガネ。
【請求項９】
主レンズを保持する主メガネフレームと、該主メガネフレームの前面側に着脱自在に設けられる副レンズとを備えたメガネであって、前記主メガネフレーム又は前記副レンズの何れか一方に請求項１から７の何れかに記載の着脱機構の吸着体を設け、何れか他方に被吸着体を設け、前記吸着体と前記被吸着体とを、前記吸着体側の磁力により互いに吸着させ、又は前記吸着体側の磁力に抗して互いに離間させることにより、前記主メガネフレームと前記副レンズとを相対的に着脱させるように構成したことを特徴とするメガネ。
【発明の詳細な説明】
【技術分野】
【０００１】
本発明は、二つの部材を相対的に着脱させる着脱機構及びその着脱機構を備えた前掛け式のメガネに関するものである。
【背景技術】
【０００２】
従来、二つの部材を相対的に着脱させる着脱機構として、磁石の磁力を利用して二つの部材を相対的に着脱させるように構成したものが知られており、その一例として、前掛け式のメガネが知られている。
【０００３】
前掛け式のメガネは、一対の主レンズを保持する主メガネフレームと、一対の副レンズを保持する副メガネフレームとを備え、主メガネフレーム側に設けた磁石と副メガネフレーム側に設けた磁石とを互いに吸着、離間させることにより、主メガネフレームの前面側に副メガネフレームを着脱させるように構成したものである（例えば、特許文献１、特許文献２参照。）。
【０００４】
このような構成の前掛け式のメガネにあっては、主メガネフレームに視力矯正用等の主レンズを保持し、副メガネフレームに視力矯正用、紫外線除去用等の副レンズを保持することにより、主メガネフレームの主レンズによる視力矯正機能等と、副メガネフレームの副レンズによる視力矯正機能、紫外線除去機能等との両方が得られるというものである。
【特許文献１】登録実用新案第３０８９４８５号公報
【特許文献２】特開平１１−２０２２７０号公報
【発明の開示】
【発明が解決しようとする課題】
【０００５】
ところで、上記のような構成のメガネにあっては、主メガネフレーム側及び副メガネフレーム側に磁石保持部を設け、これらの磁石保持部にそれぞれ磁石を嵌合によって取り付けている。このため、主メガネフレーム及び副メガネフレームの磁石保持部の加工に手間がかかり、製造コストが高く付いてしまう。また、磁石の磁力が低下した場合に、磁石の交換に非常に手間がかかってしまう。さらに、副メガネフレームを高温の雰囲気（夏季の自動車の車内等）に置き忘れた場合に、磁石の磁力が短時間で低下してしまい、主メガネフレームに対する吸着力が低下してしまう。
【０００６】
本発明は、上記のような従来のもののもつ問題を解決したものであって、例えば、前掛け式のメガネに適用した場合には、製造が容易で製造コストを安く抑えることができるとともに、磁石の磁力が低下した場合の交換作業が容易であり、さらに、副メガネフレームを高温の雰囲気（夏季の自動車の車内等）に置き忘れた場合であっても、副メガネフレームの主メガネフレームに対する吸着力が低下するようなことがない、着脱機構及びメガネを提供することを目的とするものである。
【課題を解決するための手段】
【０００７】
上記のような課題を解決するために、本発明の請求項１に係る着脱機構は、二つの部材を相対的に着脱させる着脱機構であって、一方の部材に設けられる吸着体と、該吸着体に対応する他方の部材の部分に設けられる被吸着体とを備え、前記吸着体と前記被吸着体とを、前記吸着体側の磁力により互いに吸着させ、又は前記吸着体側の磁力に抗して互いに離間させることにより、前記二つの部材を相対的に着脱させるように構成した手段を採用している。
本発明の着脱機構によれば、吸着体と被吸着体とを、吸着体側の磁力により互いに吸着させ、又は吸着体側の磁力に抗して互いに離間させることにより、一方の部材と他方の部材とが相対的に着脱されることになる。
【０００８】
また、本発明の請求項２に係る着脱機構は、請求項１に記載の着脱機構であって、前記一方の部材に前記吸着体を突出した状態で設けるとともに、該吸着体に対応する前記他方の部材の部分に前記吸着体の突出した部分を嵌入させる凹部を設け、該凹部の底部に前記被吸着体を設けた手段を採用している。
本発明の着脱機構によれば、一方の部材の吸着体の突出した部分が他方の部材の凹部に嵌入され、この状態で吸着体と被吸着体とが互いに吸着されることになるので、一方の部材に対する他方の部材の位置決めが容易になる。
【０００９】
さらに、本発明の請求項３に係る着脱機構は、請求項１又は２に記載の着脱機構であって、前記吸着体は、磁性体又は非磁性体からなるネジと、該ネジに着脱自在に取り付けられる磁石からなり、前記被吸着体は、磁性体からなる板からなり、前記吸着体のネジと前記被吸着体の板とを、前記磁石の磁力により互いに吸着させ、又は前記磁石の磁力に抗して互いに離間させるように構成した手段を採用している。
本発明の着脱機構によれば、吸着体のネジと被吸着体の板とが、吸着体の磁石の磁力により互いに吸着され、又は吸着体の磁石の磁力に抗して互いに離間される。また、吸着体のネジに磁石が着脱自在に構成されるので、磁力が低下した場合の磁石の交換が容易となる。
【００１０】
さらに、本発明の請求項４に係る着脱機構は、請求項１又は２に記載の着脱機構であって、前記吸着体は、磁性体又は非磁性体からなるネジと、該ネジに着脱自在に取り付けられる磁石からなり、前記被吸着体は、磁性体からなるネジからなり、前記吸着体のネジと前記被吸着体のネジとを、前記磁石の磁力により互いに吸着させ、又は前記磁石の磁力に抗して互いに離間させるように構成した手段を採用している。
本発明の着脱機構によれば、吸着体のネジと被吸着体のネジとが、吸着体の磁石の磁力により互いに吸着され、又は吸着体の磁石の磁力に抗して互いに離間される。また、吸着体のネジに磁石が着脱自在に構成されるので、磁力が低下した場合の磁石の交換が容易となる。
【００１１】
さらに、本発明の請求項５に係る着脱機構は、請求項３に記載の着脱機構であって、前記吸着体のネジは、頭部と該頭部に一体に設けられる脚部とからなり、前記脚部に前記磁石を着脱自在に取り付け、前記頭部と前記被吸着体の板とを、前記磁石の磁力により互いに吸着させ、又は前記磁石の磁力に抗して互いに離間させるように構成した手段を採用している。
本発明の着脱機構によれば、吸着体のネジの頭部と被吸着体の板とが、吸着体の磁石の磁力により互いに吸着され、又は吸着体の磁石の磁力に抗して互いに離間される。また、吸着体のネジの脚部に磁石が着脱自在に構成されるので、磁力が低下した場合の磁石の交換が容易となる。
【００１２】
さらに、本発明の請求項６に係る着脱機構は、請求項４に記載の着脱機構であって、前記吸着体のネジは、頭部と該頭部に一体に設けられる脚部とからなり、前記脚部に前記磁石を着脱自在に取り付け、前記頭部と前記被吸着体のネジの頭部とを、前記磁石の磁力により互いに吸着させ、又は前記磁石の磁力に抗して互いに離間させるように構成した手段を採用している。
本発明の着脱機構によれば、吸着体のネジの頭部と被吸着体のネジの頭部とが、吸着体の磁石の磁力により互いに吸着され、又は吸着体の磁石の磁力に抗して互いに離間される。また、吸着体のネジの脚部に磁石が着脱自在に構成されるので、磁力が低下した場合の磁石の交換が容易となる。
【００１３】
さらに、本発明の請求項７に係る着脱機構は、請求項３から６の何れかに記載の着脱機構であって、前記磁石は筒状をなしている手段を採用している。
本発明の着脱機構によれば、磁石の内径側に吸着体のネジを挿通させることにより、磁石が吸着体のネジに取り付けられることになる。
【００１４】
さらに、請求項８に係るメガネは、主レンズを保持する主メガネフレームと、該主メガネフレームの前面側に着脱自在に設けられるとともに、副レンズを保持する副メガネフレームとを備えたメガネであって、前記主メガネフレーム又は前記副メガネフレームの何れか一方に請求項１から７の何れかに記載の着脱機構の吸着体を設け、何れか他方に被吸着体を設け、前記吸着体と前記被吸着体とを、前記吸着体側の磁力により互いに吸着させ、又は前記吸着体側の磁力に抗して互いに離間させることにより、前記主メガネフレームと前記副メガネフレームとを相対的に着脱させるように構成した手段を採用している。
本発明のメガネによれば、主メガネフレーム側の吸着体と副メガネフレーム側の被吸着体とを、吸着体側の磁力により互いに吸着させ、又は吸着体側の磁力に抗して互いに離間させることにより、主メガネフレームと副メガネフレームとが相対的に着脱される。
この場合、主メガネフレームの吸着体の突出した部分を副メガネフレーム側の凹部に嵌入させ、この状態で吸着体と被吸着体とを互いに吸着させることにより、主メガネフレームの前面側の所定の位置に副メガネフレームを着脱させることが可能となる。
また、主メガネフレーム側の吸着体のネジと副メガネフレーム側の被吸着体の板とが、吸着体の磁石の磁力により互いに吸着され、又は吸着体の磁石の磁力に抗して互いに離間されることにより、主メガネフレームと副メガネフレームとが相対的に着脱される。この場合、吸着体のネジに磁石が着脱自在に構成されることにより、磁力が低下した場合の磁石の交換が容易となる。
さらに、主メガネフレーム側の吸着体のネジと副メガネフレーム側の被吸着体のネジとが、吸着体の磁石の磁力により互いに吸着され、又は吸着体の磁石の磁力に抗して互いに離間されることにより、主メガネフレームと副メガネフレームとが相対的に着脱される。この場合、吸着体のネジに磁石が着脱自在に構成されるので、磁力が低下した場合の磁石の交換が容易となる。
さらに、主メガネフレーム側の吸着体のネジの頭部と副メガネフレーム側の被吸着体の板とが、吸着体の磁石の磁力により互いに吸着され、又は吸着体の磁石の磁力に抗して互いに離間されることにより、主メガネフレームと副メガネフレームとが相対的に着脱される。この場合、吸着体のネジの脚部に磁石が着脱自在に構成されるので、磁力が低下した場合の磁石の交換が容易となる。
さらに、主メガネフレーム側の吸着体のネジの頭部と副メガネフレーム側の被吸着体のネジの頭部とが、吸着体の磁石の磁力により互いに吸着され、又は吸着体の磁石の磁力に抗して互いに離間されることにより、主メガネフレームと副メガネフレームとが相対的に着脱される。この場合、吸着体のネジの脚部に磁石が着脱自在に構成されるので、磁力が低下した場合の磁石の交換が容易となる。
さらに、主メガネフレーム側の吸着体の磁石は、内径側に吸着体のネジを挿通させることにより、吸着体に取り付けられることになる。
【００１５】
さらに、請求項９に係るメガネは、主レンズを保持する主メガネフレームと、該主メガネフレームの前面側に着脱自在に設けられる副レンズとを備えたメガネであって、前記主メガネフレーム又は前記副レンズの何れか一方に請求項１から７の何れかに記載の着脱機構の吸着体を設け、何れか他方に被吸着体を設け、前記吸着体と前記被吸着体とを、前記吸着体側の磁力により互いに吸着させ、又は前記吸着体側の磁力に抗して互いに離間させることにより、前記主メガネフレームと前記副レンズとを相対的に着脱させるように構成した手段を採用している。
本発明のメガネによれば、主メガネフレーム側の吸着体と副メガネ側の被吸着体とを、吸着体側の磁力により互いに吸着させ、又は吸着体側の磁力に抗して互いに離間させることにより、主メガネフレームと副レンズとが相対的に着脱される。
この場合、主メガネフレームの吸着体の突出した部分を副レンズ側の凹部に嵌入させ、この状態で吸着体と被吸着体とを互いに吸着させることにより、主メガネフレームの前面側の所定の位置に副レンズを着脱させることが可能となる。
また、主メガネフレーム側の吸着体のネジと副レンズ側の被吸着体の板とが、吸着体の磁石の磁力により互いに吸着され、又は吸着体の磁石の磁力に抗して互いに離間されることにより、主メガネフレームと副レンズとが相対的に着脱される。この場合、吸着体のネジに磁石が着脱自在に構成されることにより、磁力が低下した場合の磁石の交換が容易となる。
さらに、主メガネフレーム側の吸着体のネジと副レンズ側の被吸着体のネジとが、吸着体の磁石の磁力により互いに吸着され、又は吸着体の磁石の磁力に抗して互いに離間されることにより、主メガネフレームと副レンズとが相対的に着脱される。この場合、吸着体のネジに磁石が着脱自在に構成されるので、磁力が低下した場合の磁石の交換が容易となる。
さらに、主メガネフレーム側の吸着体のネジの頭部と副レンズ側の被吸着体の板とが、吸着体の磁石の磁力により互いに吸着され、又は吸着体の磁石の磁力に抗して互いに離間されることにより、主メガネフレームと副レンズとが相対的に着脱される。この場合、吸着体のネジの脚部に磁石が着脱自在に構成されるので、磁力が低下した場合の磁石の交換が容易となる。
さらに、主メガネフレーム側の吸着体のネジの頭部と副レンズ側の被吸着体のネジの頭部とが、吸着体の磁石の磁力により互いに吸着され、又は吸着体の磁石の磁力に抗して互いに離間されることにより、主メガネフレームと副レンズとが相対的に着脱される。この場合、吸着体のネジの脚部に磁石が着脱自在に構成されるので、磁力が低下した場合の磁石の交換が容易となる。
さらに、主メガネフレーム側の吸着体の磁石は、内径側に吸着体のネジを挿通させることにより、吸着体に取り付けられることになる。
【発明の効果】
【００１６】
本発明は、前記のように構成したことにより、例えば、一方の部材を前掛け式のメガネの主メガネフレーム、他方の部材を副メガネフレーム又は副レンズとした場合に、主メガネフレーム側の吸着体と副メガネフレーム側又は副レンズ側の被吸着体とを、吸着体側の磁力（磁石）によって互いに吸着させ、又は吸着体側の磁力（磁石）に抗して互いに離間させることにより、主メガネフレームと副メガネフレーム又は副レンズとを相対的に着脱させることが可能となる。
この場合、吸着体は、ネジと磁石とによって構成されるとともに、磁石はネジに着脱自在に構成されているので、磁石の磁力が低下した際の磁石の交換作業が容易となる。
さらに、被吸着体は磁性体から形成されているので、被吸着体が設けられている副メガネフレーム又は副レンズを高温の雰囲気（夏季の自動車の車内等）に置き忘れても、吸着体と被吸着体との吸着力に影響を与えるようなことはなく、主メガネフレームと副メガネフレーム又は副レンズとを、長期に渡って安定して相対的に着脱させることが可能となる。
さらに、吸着体の主メガネフレームへの取付け作業、及び被吸着体の副メガネフレーム又は副レンズへの取付け作業が容易であるので、製造コストを安く抑えることができ、安価なものを提供することができる。
【発明を実施するための最良の形態】
【００１７】
以下、図面を参照しつつ、本発明の実施の形態について説明する。
図１〜図３には、本発明による着脱機構の第１の実施の形態が示されていて、この着脱機構１は、二つの部材を相対的に着脱させるためのものであって、一方の部材１５に設けられる吸着体２と、吸着体２に対応する他方の部材１７の部分に設けられる被吸着体８とを備えている。
【００１８】
吸着体２は、磁性体又は被磁性体からなる金属製又は合成樹脂製のネジ３と、ネジ３に着脱自在に設けられる磁石７とから構成されている。ネジ３は、円板状の頭部４と、頭部４の下面中央部に一体に設けられる丸棒状の脚部５とからなり、脚部５の周面に所定のピッチ、モジュールの雄ネジが螺設され、ネジ３の脚部５に円筒状の磁石７が着脱自在に取り付けられている。
【００１９】
吸着体２は、ネジ３の脚部５に磁石７を取り付けた状態で、ネジ３の脚部５を一方の部材１５に設けた貫通孔１６内に表面側から挿通させ、裏面側に突出させた部分にナット６を螺合させて所定のトルクで締め付けることにより、一方の部材１５に取り付けられる。この場合、ネジ３の頭部４及び磁石７は、一方の部材１５の表面側に位置している。
【００２０】
被吸着体８は、磁性体からなる金属製又は合成樹脂製の円板９であって、一方の部材１５の吸着体２に対応する他方の部材１７の部分に設けられる。この場合、一方の部材１５の吸着体２に対応する部分には、吸着体２のネジ３の頭部４を嵌合させ得る凹部１８が所定の深さで設けられ、この凹部１８の底面側に被吸着体８の円板９が嵌合される。
【００２１】
そして、上記のように構成した着脱機構１により一方の部材１５と他方の部材１７とを相対的に着脱させるには、図１に示すように、一方の部材１５の表面と他方の部材１７の裏面とを接近させ、吸着体２のネジ３の頭部４を他方の部材１７の凹部１８内に嵌合させ、凹部１８内の被吸着体８の円板９と互いに接触させることにより、頭部４と円板９とが磁石７の磁力により互いに吸着され、一方の部材１５の前面側に他方の部材１７が連結される。そして、一方の部材１５と他方の部材１７とを磁石７の磁力に抗して引き離すことにより、吸着体２のネジ３の頭部４が被吸着体８の円板９から離間し、一方の部材１５から他方の部材１７が離間することになる。
【００２２】
上記のように構成したこの実施の形態による着脱機構１にあっては、吸着体２のネジ３の脚部５に磁石７を着脱自在に取り付けているので、磁石７の磁力が低下した場合の磁石７の交換作業が容易となる。
【００２３】
また、被吸着体８には、磁性体からなる円板９を使用しているので、他方の部材１７を高温の雰囲気（例えば、夏季の自動車の車内等）に晒しても、吸着体２と被吸着体８との吸着力が影響を受けるようなことはない。
【００２４】
さらに、吸着体２は、一方の部材１５に貫通孔１６を設けて、その貫通孔１６内にネジ３の脚部５を挿通させて、ナット６を脚部５に締め付ければ良いので、吸着体２の取付け作業が容易となる。また、被吸着体８は、他方の部材１７に凹部１８を設けて、その凹部１８内に磁性体からなる円板９を嵌合させれば良いので、被吸着体８の他方の部材１７への取付け作業も容易となる。従って、全体の製造が容易となるので、製造コストを安く抑えることができ、安価なものを提供することができる。
【００２５】
さらに、一方の部材１５の吸着体２のネジ３の頭部４を他方の部材１７の凹部１８内に嵌合させているので、一方の部材１５の前面側の所定の位置に他方の部材１７を位置決めすることが可能となる。
【００２６】
図４には、本発明による着脱機構の第２の実施の形態が示されていて、この着脱機構１は、被吸着体８を、磁性体からなるネジ１０によって構成し、他方の部材１７の凹部１８の底部中央に設けた貫通孔１９内にネジ１０の脚部１２を挿通させ、頭部１１を凹部１８の底部に嵌合させたものであって、その他の構成は前記第１の実施の形態に示すものと同様である。
【００２７】
そして、この実施の形態に示す着脱機構１にあっても、前記第１の実施の形態に示すものと同様に、吸着体２のネジ３の脚部５に磁石７を着脱自在に取り付けているので、磁石７の磁力が低下した場合の磁石７の交換作業が容易となる。
【００２８】
また、被吸着体８には、磁性体からなるネジ１０を使用しているので、他方の部材１７を高温の雰囲気（例えば、夏季の自動車の車内等）に晒しても、吸着体２と被吸着体８との吸着力が影響を受けるようなことはない。
【００２９】
さらに、吸着体２は、一方の部材１５に貫通孔１６を設けて、その貫通孔１６内にネジ３の脚部５を挿通させて、ナット６を脚部５に締め付ければ良いので、吸着体２の取付け作業が容易となる。また、被吸着体８は、他方の部材１７に凹部１８を設けて、その凹部１８の底部に貫通孔１９を設け、凹部１８の底部の貫通孔１９にネジ１０の脚部１２を挿通させ、ネジ１０の頭部１１を凹部１８の底部に嵌合させれば良いので、被吸着体８の他方の部材１７への取付け作業も容易となる。従って、全体の製造が容易となるので、製造コストを安く抑えることができる。
【００３０】
さらに、一方の部材１５の吸着体２のネジ３の頭部４を他方の部材１７の凹部１８内に嵌合させることにより、一方の部材１５の前面側の所定の位置に他方の部材１７を位置決めすることが可能となる。
【００３１】
図１〜図３、図５及び図６には、本発明によるメガネの第１の実施の形態が示されていて、このメガネ２０は、前掛け式のメガネに前述した着脱機構１適用したものであって、一対の主レンズ２１、２１を保持する一方の部材１５である主メガネフレーム２２と、主メガネフレーム２２の前面側に着脱自在に設けられる他方の部材１７である一対の副レンズ２７、２７とを備え、主メガネフレーム２２と副レンズ２７、２７との着脱に前述した着脱機構１を適用している。
【００３２】
主メガネフレーム２２は、所謂ツーポイント式のメガネフレームであって、一対の主レンズ２１、２１の内縁部間に架設されるブリッジ２３、各主レンズ２１の外縁部に取り付けられるヨロイ２４、各ヨロイ２４に丁番（図示せず）を介して回動自在に連結されるテンプル２５、ブリッジ２３に連結される一対のノーズパッド２６、２６等の複数の部品から構成されている。各主レンズ２１としては、例えば、視力矯正用のレンズ等を挙げることができるが、他のタイプのレンズであっても良い。
【００３３】
この場合、各主レンズ２１の内縁部とブリッジ２３の端部との間、各主レンズ２１の外縁部とヨロイ２４の端部との間を連結するレンズ固定用のネジ締結体がそれぞれ着脱機構１の吸着体２によって構成される。
【００３４】
すなわち、吸着体２のネジ３の脚部５を各主レンズ２１の前面側から各主レンズ２１の内縁部及び外縁部の貫通孔１６、１６及びブリッジ２３の端部の貫通孔、ヨロイ２４の端部の貫通孔を挿通させてブリッジ２３及びヨロイ２４の裏面側に突出させ、この突出させた脚部５の部分にナット６を螺合させて所定のトルクで締め付けることにより、各主レンズ２１の内縁部及び外縁部にそれぞれ吸着体２を取り付ける。この場合、各主レンズ２１の前面から吸着体２のネジ３の頭部４及び磁石７が突出するように、各主レンズ２１の内縁部及び外縁部にそれぞれ吸着体２を取り付ける。
【００３５】
各副レンズ２７の各主レンズ２１の内縁部及び外縁部の吸着体２に対応する部分には、それぞれ吸着体２のネジ３の頭部４を嵌合させる所定の深さの凹部１８が設けられ、この凹部１８の底部に前述した着脱機構１の被吸着体８である円板９が嵌合される。副レンズ２７としては、例えば、視力矯正用のレンズ、紫外線除去用のレンズ等を挙げることができるが、他のタイプのレンズであっても良い。
【００３６】
そして、上記のように構成した主メガネフレーム２２側の吸着体２と各副レンズ２７側の被吸着体８とにより、主メガネフレーム２２と一対の副レンズ２７、２７とを相対的に着脱させる着脱機構１が構成され、主メガネフレーム２２の前面側に一対の副レンズ２７、２７を必要に応じて着脱させることができるものである。
【００３７】
上記のように構成したこの実施の形態によるメガネ２０にあっては、主メガネフレーム２２側の吸着体２のネジ３の脚部５に磁石７を着脱自在に取り付けているので、磁石７の磁力が低下した場合の磁石７の交換作業が容易となる。
【００３８】
また、副レンズ２７側の被吸着体８には、磁性体からなる円板９を使用しているので、副レンズ２７を高温の雰囲気（例えば、夏季の自動車の車内等）に晒しても、吸着体２と被吸着体８との吸着力が影響を受けるようなことはない。
【００３９】
さらに、吸着体２は、主メガネフレーム２２の主レンズ２１に貫通孔１６を設けて、その貫通孔１６内にネジ３の脚部５を挿通させて、ナット６を脚部５に締め付ければ良いので、吸着体２の取付け作業が容易となる。また、被吸着体８は、副レンズ２７に凹部１８を設けて、その凹部１８内に磁性体からなる円板９を嵌合させれば良いので、被吸着体８の副レンズ２７への取付け作業も容易となる。従って、全体の製造が容易となるので、製造コストを安く抑えることができ、安価なものを提供することができる。
【００４０】
さらに、主メガネフレーム２２の吸着体２のネジ３の頭部４を副レンズ２７の凹部１８内に嵌合させているので、主メガネフレーム２２の前面側の所定の位置に副レンズ２７を位置決めすることが可能となる。
【００４１】
図４、図７及び図８には、本発明によるメガネの第２の実施の形態が示されていて、このメガネ２０も第１の実施の形態に示すものと同様に、前掛け式のメガネであって、一対の主レンズ２１、２１を保持する一方の部材１５である主メガネフレーム２２と、主メガネフレーム２２の前面側に着脱自在に設けられる他方の部材１７である副メガネフレーム２８とを備え、主メガネフレーム２２と副メガネフレーム２８との着脱に前述した着脱機構１を適用している。
【００４２】
副メガネフレーム２８は、一対の副レンズ２７、２７の内縁部間を連結するブリッジ２９を有し、ブリッジ２９の両端部と各副レンズ２７の内縁部との間を連結するレンズ固定用のネジ締結体に前述した着脱機構１の被吸着体８が用いられる。
【００４３】
各副レンズ２７の各主レンズ２１の内縁部及び外縁部の吸着体２に対応する部分には、それぞれ吸着体２のネジ３の頭部４を嵌合させる所定の深さの凹部１８が設けられ、外縁部の凹部１８の底部に前述した着脱機構１の被吸着体８である円板９が嵌合される。また、内縁部の凹部１８の底部中央部には貫通孔１９が設けられ、この貫通孔１９内を各副レンズ２７の裏面側から着脱機構１の被吸着体８であるネジ１０の脚部１２が挿通している。この脚部１２は、両副レンズ２７、２７の内縁部間に架設されるブリッジ２９の貫通孔を挿通してブリッジ２９の前面側に突出し、その突出している部分にナット１３が螺合されて所定のトルクで締め付けられる。
【００４４】
そして、上記のように構成した主メガネフレーム２２側の吸着体２と副メガネフレーム２８側の被吸着体８とにより、主メガネフレーム２２と副メガネフレーム２８とを相対的に着脱させる着脱機構１が構成され、主メガネフレーム２２の前面側に副メガネフレーム２８を必要に応じて着脱させることができるものである。
【００４５】
上記のように構成したこの実施の形態によるメガネ２０にあっては、主メガネフレーム２２側の吸着体２のネジ３の脚部５に磁石７を着脱自在に取り付けているので、磁石７の磁力が低下した場合の磁石７の交換作業が容易となる。
【００４６】
また、副メガネフレーム２８側の被吸着体８には、磁性体からなるネジ１０を使用しているので、副メガネフレーム２８を高温の雰囲気（例えば、夏季の自動車の車内等）に晒しても、吸着体２と被吸着体８との吸着力が影響を受けるようなことはない。
【００４７】
さらに、吸着体２は、主メガネフレーム２２の主レンズ２１に貫通孔１６を設けて、その貫通孔１６内にネジ３の脚部５を挿通させて、ナット６を脚部５に締め付ければ良いので、吸着体２の取付け作業が容易となる。また、被吸着体８は、副メガネフレーム２８の副レンズ２７に凹部１８を設けて、その凹部１８内に磁性体からなる円板９を嵌合させ、又は凹部１８の底部に貫通孔１９を設けて、その貫通孔１９内にネジ１０の脚部１２を挿通させれば良いので、被吸着体８の副メガネフレーム２８への取付け作業も容易となる。従って、全体の製造が容易となるので、製造コストを安く抑えることができ、安価なものを提供することができる。
【００４８】
さらに、主メガネフレーム２２の吸着体２のネジ３の頭部４を副メガネフレーム２８の副レンズ２７の凹部１８内に嵌合させているので、主メガネフレーム２２の前面側の所定の位置に副メガネフレーム２８を位置決めすることが可能となる。
【００４９】
なお、前記の説明においては、着脱機構１を前掛け式のメガネに適用したが、その他の周知の二つの部材を相対的に着脱させる場合に適用してもよい。
【図面の簡単な説明】
【００５０】
【図１】本発明による着脱機構及びメガネの第１の実施の形態を示した概略断面図であって、一方の部材（主メガネフレーム）と他方の部材（副レンズ）とが離間した状態を示した説明図である。
【図２】本発明による着脱機構及びメガネの第１の実施の形態を示した概略断面図であって、一方の部材（主メガネフレーム）と他方の部材（副レンズ）とが連結した状態を示した図６のＡ部の拡大説明図である。
【図３】本発明による着脱機構及びメガネの吸着体を示した説明図である。
【図４】本発明による着脱機構及びメガネの第２の実施の形態を示した概略断面図であって、一方の部材（主メガネフレーム）と他方の部材（副メガネフレーム）とが連結した状態を示した図８のＢ部の拡大説明図である。
【図５】本発明によるメガネの第１の実施の形態を示した正面図であって、主メガネフレームと副レンズとが離間した状態を示した説明図である。
【図６】本発明によるメガネの第１の実施の形態を示した平面図であって、主メガネフレームと副レンズとが連結した状態を示した説明図である。
【図７】本発明によるメガネの第２の実施の形態を示した正面図であって、主メガネフレームと副メガネフレームとが離間した状態を示した説明図である。
【図８】本発明によるメガネの第２の実施の形態を示した平面図であって、主メガネフレームと副メガネフレームとが連結した状態を示した説明図である。
【符号の説明】
【００５１】
１  着脱機構
２  吸着体
３、１０  ネジ
４、１１  頭部
５、１２  脚部
６、１３  ナット
７  磁石
８  被吸着体
９  円板
１５  一方の部材
１６、１９  貫通孔
１７  他方の部材
１８  凹部
２０  メガネ
２１  主レンズ
２２  主メガネフレーム
２３、２９  ブリッジ
２４  ヨロイ
２５  テンプル
２６  ノーズパッド
２７  副レンズ
２８  副メガネフレーム
【図１】
2005134555.tif 000003
【図２】
2005134555.tif 000004
【図３】
2005134555.tif 000005
【図４】
2005134555.tif 000006
【図５】
2005134555.tif 000007
【図６】
2005134555.tif 000008
【図７】
2005134555.tif 000009
【図８】
2005134555.tif 000010